(57)【要約】      （修正有）【課題】場所の制約なく簡便に組み立てられ、２つの角材を１つの角材のように連結できる連結金具を提供する。【解決手段】連結金具１は、２つの角材を直列に連結するためのものである。連結金具は、突き合わされた２つの角材の端近傍において角材の４つの側面それぞれの略全部を覆うことができる、金属板で形成された内金具２と、金属板で形成され内金具の外面の略全部を覆うことができる外金具３と、を有する。連結金具は、内金具が突き合わされた２つの角材の端近傍を覆い、外金具が内金具を覆った状態でこれらが２つの角材に固着されることにより２つの角材を連結する。【選択図】図１
0003204237.tif 000002
【実用新案登録請求の範囲】
【請求項１】
２つの角材を直列に連結する連結金具であって、
突き合わされた前記２つの角材の端近傍において前記角材の４つの側面それぞれの略全部を覆うことができる、金属板で形成された内金具と、
金属板で形成され前記内金具の外面の略全部を覆うことができる外金具と、を有し、
前記内金具が突き合わされた前記２つの角材の端近傍を覆い、前記外金具が前記内金具を覆った状態でこれらが前記２つの角材に固着されることにより前記２つの角材を連結する
ことを特徴とする連結金具。
【請求項２】
前記内金具および前記外金具はいずれも、一対をなして四角形の板が「コ」字状に曲げられた形状であり、
前記内金具は、
四角形の内方中央部と、
四角形の前記内方中央部における平行な２辺にそれぞれ連続し前記内方中央部に直交して拡がる四角形の一対の内方外縁部と、を備え、
前記外金具は、
四角形の外方中央部と、
四角形の前記外方中央部における平行な２辺にそれぞれ連続し前記外方中央部に直交して拡がる四角形の一対の外方外縁部と、を備え、
前記一対の内金具は、それぞれの前記内方中央部が平行な状態でそれぞれの内方外縁部間に前記角材を収容して前記角材の周囲を略被覆可能に形成され、
前記一対の外金具は、それぞれの前記外方中央部が平行な状態でそれぞれの外方外縁部間に前記一対の内金具のそれぞれの一部を収容し全体として前記一対の内金具の周囲を略被覆可能に形成され、
かつ、前記一対の外金具が前記一対の内金具を略被覆した状態において、一方の前記内金具における前記内方外縁部と他方の前記内金具における前記内方外縁部とが前記一対の外金具のそれぞれの外方中央部に重なるように構成された
請求項１に記載の連結金具。
【請求項３】
前記内金具は、前記内方中央部の外面に前記内方中央部の他の部分よりも肉厚な内方肉厚帯を有し、
前記外金具は、前記外方中央部の内面に前記外方中央部の他の部分よりも肉厚な外方肉厚帯を有し、
前記内方肉厚帯は、四角形の前記内方中央部における前記一対の内方外縁部に連続する平行な２辺に平行にかつ帯状に延びており、
前記外方肉厚帯は、四角形の前記外方中央部における前記一対の外方外縁部に連続する平行な２辺に平行にかつ帯状に延びており、
前記一対の外金具が前記一対の内金具を略被覆した状態において、前記内方肉厚帯の幅方向両側に前記一対の外金具の互いに異なる一方における前記外方外縁部が位置し、前記外方肉厚帯の幅方向両側に前記一対の内金具の互いに異なる一方における前記内方外縁部が位置するように構成された
請求項２に記載の連結金具。
【請求項４】
前記内金具は、２つの板状四角形の内方連結部からなり、前記２つの内方連結部が９０度の角度を有して連続し、突き合わされた前記角材の前記端近傍における直交する２つの側面を覆うことが可能であり、
前記外金具は、２つの板状四角形の外方連結部からなり、前記２つの外方連結部が９０度の角度を有して連続し、前記端近傍を覆う一方の前記内金具の片方の前記内方連結部と、当該内方連結部に対し９０度をなす他方の前記内金具の前記内方連結部と、の両方の外面を覆うことが可能に形成された
請求項１に記載の連結金具。
【請求項５】
前記内金具は、一対の第一矩形板および一対の第二矩形板からなり、
前記外金具は、いずれも板状四角形の２つの外方連結部が９０度の角度を有して連続する４つの連結部で構成され、
前記一対の第一矩形板は、それぞれが突き合わされた前記角材の前記端近傍における平行な２つの側面の互いに異なる一方を被覆可能であり、
前記一対の第二矩形板は、それぞれが前記端近傍における他の平行な２つの側面の互いに異なる一方を被覆可能であり、
前記連結部は、一方の前記外方連結部が前記第一矩形板の一部を覆い、他方の前記外方連結部が前記第二矩形板の一部を覆うように形成された
請求項１に記載の連結金具。
【考案の詳細な説明】
【技術分野】
【０００１】  本考案は、２つの角材の端部同士を直列に連結する連結金具に関する。
【背景技術】
【０００２】  例えば、天然の原料である木から定尺物の角材を得るとき、長さが不足する角材が発生することは避けられない。このような短い木材は、他の用途に安価に使用され、または異なる用途を見出すことができない場合廃棄される。
しかし、定尺物に比べて単に長さが短いのみであれば、短い２つの角材を連結して規格長さとすることができれば、用途によっては定尺物の代替物となり得る。また、既設の木造構造物において角材の一部が破損等した場合、適当な連結手段が有れば、破損箇所を新たな角材に置き換えて既存の角材に連結し修復するという方策が採り得る。【０００３】  また、住居等の木造建築に使用されるような太さの角材において、例えば短尺物を連結して代用することができれば、材料コストの減少、環境負荷の低減等のメリットが大きい。
角材同士の連結については、木造建築分野において、一対の角筒状の柱受座を梁受角筒で連結した接続金具を用いて、それぞれの柱受座に別々の角材を嵌め入れ固定することにより角材を連結する技術が開示されている（特許文献１、図６，８）。
【先行技術文献】
【特許文献】
【０００４】
【特許文献１】  特開平１０−２１２７６１公報
【考案の概要】
【考案が解決しようとする課題】
【０００５】  特許文献１に開示された接続金具は、柱受座の組立に溶接を要するので角材の連結前に完成させておく必要があり、接続金具を施工現場で簡便に組み立てることはできない。また、特許文献１に開示された接続金具は、一対の角筒状の柱受座のあいだに梁受角筒を有するため、見かけ上２つの角材が連結されていると断じにくいという問題がある。
本考案は、上述の問題に鑑みてなされたもので、場所に制約されずに簡便に組み立てることができ、２つの角材を見かけ上１つの角材のように連結できる連結金具を提供することを目的とする。
【課題を解決するための手段】
【０００６】  本考案に係る連結金具は、２つの角材を直列に連結するための連結金具である。
連結金具は、突き合わされた２つの角材の端近傍において角材の４つの側面それぞれの略全部を覆うことができる、金属板で形成された内金具、および金属板で形成され内金具の外面の略全部を覆うことができる外金具を有する。連結金具は、内金具が突き合わされた２つの角材の端近傍を覆い、外金具が内金具を覆った状態で、これらが２つの角材に固着されることにより２つの角材を連結する。【０００７】  好ましくは、連結金具は、いずれも四角形の金属板が「コ」字状に曲がった一対の内金具および一対の外金具を有する。内金具は、四角形の内方中央部と、四角形の内方中央部における平行な２辺にそれぞれ連続し内方中央部に直交して拡がる四角形の一対の内方外縁部と、を備える。
外金具は、四角形の外方中央部と、四角形の外方中央部における平行な２辺にそれぞれ連続し外方中央部に直交して拡がる四角形の一対の外方外縁部と、を備える。【０００８】  一対の内金具は、それぞれの内方中央部が平行な状態でそれぞれの内方外縁部間に角材を収容して角材の周囲を略被覆可能に形成される。一対の外金具は、それぞれの外方中央部が平行な状態でそれぞれの外方外縁部間に一対の内金具のそれぞれの一部を収容し全体として一対の内金具の周囲を略被覆可能に形成される。
そして、連結金具は、一対の外金具が一対の内金具を略被覆した状態において、一方の内金具における内方外縁部と他方の内金具における内方外縁部とが一対の外金具のそれぞれの外方中央部に重なるように構成される。【０００９】  本考案に係る他の連結金具は、内方中央部の外面に、内方中央部の他の部分よりも肉厚な内方肉厚帯を有し、外金具は、外方中央部の内面に、外方中央部の他の部分よりも肉厚な外方肉厚帯を有する。
内方肉厚帯は、四角形の内方中央部における一対の内方外縁部に連続する平行な２辺に平行にかつ帯状に延びている。外方肉厚帯は、四角形の外方中央部における一対の外方外縁部に連続する平行な２辺に平行にかつ帯状に延びている。【００１０】  連結金具は、一対の外金具が一対の内金具を略被覆した状態において、内方肉厚帯の幅方向両側に前記一対の外金具の互いに異なる一方における外方外縁部が位置し、外方肉厚帯の幅方向両側に一対の内金具の互いに異なる一方における内方外縁部が位置するように構成されている。【００１１】  本考案に係る他の連結金具は、内金具が、２つの板状四角形の内方連結部からなり、２つの内方連結部が９０度の角度を有して連続し、突き合わされた角材の端近傍における直交する２つの側面を覆うことが可能である。この連結金具における外金具は、２つの板状四角形の外方連結部からなり、２つの外方連結部が９０度の角度を有して連続し、端近傍を覆う一方の内金具の片方の内方連結部、および当該内方連結部に対し９０度をなす他方の内金具の内方連結部、の両方の外面を覆うことが可能に形成される。【００１２】  本考案に係る他の連結金具は、内金具が、一対の第一矩形板および一対の第二矩形板からなる。外金具は、いずれも板状四角形の２つの外方連結部が９０度の角度を有して連続する４つの連結部で構成される。一対の第一矩形板は、それぞれが突き合わされた角材の端近傍における平行な２つの側面の互いに異なる一方を被覆可能であり、一対の第二矩形板は、それぞれが端近傍における他の平行な２つの側面の互いに異なる一方を被覆可能である。連結部は、一方の外方連結部が第一矩形板の一部を覆い、他方の外方連結部が第二矩形板の一部を覆うように形成される。
【考案の効果】
【００１３】  本考案の連結金具は、場所に制約されずに簡便に組み立てることができ、２つの角材を見かけ上１つの角材のように連結することができる。
【図面の簡単な説明】
【００１４】
【図１】  図１は角材の連結金具の斜視図である。
【図２】  図２は連結金具により連結された角材の斜視図である。
【図３】  図３は他の連結金具の斜視図である。
【図４】  図４は連結金具により連結された角材の斜視図である。
【図５】  図５は他の連結金具の斜視図である。
【図６】  図６は他の角材の連結金具の斜視図である。
【図７】  図７は他の連結金具により連結された角材の斜視図である。
【図８】  図８は他の連結金具の斜視図である。
【図９】  図９は他の連結金具により連結された角材の斜視図である。
【図１０】  図１０は他の連結金具の斜視図である。
【図１１】  図１１は他の連結金具により連結された角材の斜視図である。
【考案を実施するための形態】
【００１５】  図１は角材Ｒの連結金具１の斜視図、図２は連結金具１により連結された角材Ｒ，Ｒの斜視図である。
連結金具１は、一対の内金具２，２および一対の外金具３，３で構成される。
内金具２および外金具３は、いずれも金属板が「コ」字状に曲げられて形成される。
内金具２は、四角形の内方中央部２１、四角形の内方中央部２１における平行な２辺にそれぞれ連続して内方中央部２１に対して直交方向に延びた、四角形の内方外縁部２２を有する。
【００１６】  内方中央部２１は、内方外縁部２２と連続する折り曲げ線に平行に並ぶ４つのネジ孔２３，２３，２３，２３を２列備える。
内方外縁部２２は、例えば連結金具１が断面正方形の角材の連結用の場合、内方中央部２１に直交する方向の内面における寸法ｓｗ１が、２つの内方外縁部２２，２２の距離ｓｗ２の半分に等しいかこれよりも僅かに小さい。
内方外縁部２２は、内方中央部２１と連続する折り曲げ線に平行に並ぶ４つのネジ孔２４，２４，２４を備える。２つの内方外縁部２２，２２は、面対称である。
【００１７】  外金具３は、四角形の外方中央部３１、外方中央部３１の四角形における平行な２辺にそれぞれ連続して外方中央部３１に対して直交方向に延びた、四角形の外方外縁部３２を有する。
外方中央部３１は、外方外縁部３２と連続する折り曲げ線に平行に並ぶ４つのネジ孔３３，３３，３３，３３を２列備える。
【００１８】  外方外縁部３２は、例えば連結金具１が断面正方形の角材の連結用の場合、外方中央部３１に直交する方向の内面における寸法ｓｗ３が、２つの外方外縁部３２，３２の距離Ｗ２の半分に等しいかこれよりも僅かに小さい。断面正方形の角材を連結するための連結金具１では、２つの外方外縁部３２，３２の距離Ｗ２は、内金具２における２つの内方外縁部２２，２２の外面間の距離Ｗ１に等しいか僅かに大きい。
外方外縁部３２は、外方中央部３１と連続する折り曲げ線に平行に並ぶ４つのネジ孔３４，３４，３４，３４を備える。２つの外方外縁部３２，３２は、面対称である。
連結金具１は、鉄またはステンレスで製造される。
【００１９】  図２を参照して、連結金具１による２つの角材Ｒ，Ｒの連結は以下のように行われる。
先ず、一対の内金具２，２が、それぞれの内方中央部２１，２１を対面させかつ平行にして、連結対象の角材Ｒ，Ｒを挟んで角材Ｒ，Ｒの端外面に当てられる。内金具２における一対の内方外縁部２２，２２間の距離ｓｗ２は、角材Ｒにおける取付面（側面、表面）の幅に略等しい。
次に、一対の外金具３，３が、異なる内金具２，２の互いに隣り合う内方外縁部２２，２２をその外方中央部３１が覆うように、それぞれ内金具２，２に当てられる。つまり、角材Ｒ，Ｒの連結部分の四方の面は、一対の内金具２，２および一対の外金具３，３によって金属板が二重に巻かれた（覆われた）状態となる。
【００２０】  このとき、外金具３の外方中央部３１における列をなす４つのネジ孔３３，３３，３３，３３は、それぞれが、内金具２の一方の内方外縁部２２における列をなす４つのネジ孔２４，２４，２４の異なる一つに連通する。また、外金具３の外方外縁部３２における４つのネジ孔３４，３４，３４，３４は、それぞれが、内金具２の内方中央部２１における一方の列をなす４つのネジ孔２３，２３，２３，２３の異なる一つに連通する。
ネジ孔３３，３４のすべてに木ネジ４１が通され、木ネジ４１により角材Ｒ，Ｒに内金具２，２および外金具３，３が固定されて、連結金具１による２つの角材Ｒ，Ｒの連結が完結される。
【００２１】  連結金具１は、角材Ｒ，Ｒの連結端の外面の周囲を一対の内金具２，２が取り囲み、この外面（外周）を一対の外金具３，３が取り囲む二重構造である。内金具２，２および外金具３，３は、角材Ｒ，Ｒのそれぞれの端面が突き合わされた状態で、または接着された状態（仮連結）で角材Ｒ，Ｒの連結部分に取り付けることができる。そのため、例えば柱における破損した部分を切除し新たな角材で破損部分を置き換えた後、新たな角材の両端を従来からの柱に連結できる。
連結金具１は、角材を仮連結等した後にこの連結部分に簡便に施工できるので、施工現場において適用範囲が広い。
【００２２】  連結金具１は、２つの角材の端面同士が突き合わされることにより、見かけ上１つの角材のように連結することができる。
また、連結金具１は、角材Ｒ，Ｒを取り囲む一対の内金具２，２間の不連続部分（一方の内金具２における内方外縁部２２の端縁と他方の内金具２における内方外縁部２２の端縁との隙間）を、一対の外金具３，３における外方中央部３１が覆う。このことから、角材Ｒの角は、必ず内金具２および外金具３の（不連続でなく連続する）曲げ部分で二重に覆われるので、角材Ｒに加わる外力に対して角材Ｒを補強する。
【００２３】  図３は他の連結金具１Ｂの斜視図、図４は連結金具１Ｂにより連結された角材Ｒ，Ｒの斜視図である。
連結金具１Ｂは、一対の内金具２Ｂ，２Ｂおよび一対の外金具３Ｂ，３Ｂで構成される。
内金具２Ｂおよび外金具３Ｂは、いずれも全体としての形状が「コ」字状である。
内金具２Ｂは、四角形の内方中央部２１Ｂ、および一対の四角形の内方外縁部２２，２２を有する。内方中央部２１Ｂと一対の四角形の内方外縁部２２，２２との位置関係、および内方外縁部２２等の構成は、連結金具１における内金具２と同じである。
【００２４】  内方中央部２１Ｂは、内方外縁部２２，２２それぞれから等距離の外面に、内方外縁部２２と連続する折り曲げ線に平行に帯状に延びた、内方中央部２１Ｂの他の部分よりも肉厚の内方肉厚帯２５Ｂを有する。内方中央部２１Ｂにおける「外面」とは、内方外縁部２２が拡がる（突出する）方向とは反対側の表面をいう。
内方肉厚帯２５Ｂの厚さは、内方中央部２１Ｂの他の部分の厚さと外金具３Ｂの外方外縁部３２の厚さとを加えた値に略等しい、またはこの値より僅かに小さいのが好ましい。内方肉厚帯２５Ｂの幅は、その厚さ以上が好ましい。
【００２５】  内方中央部２１Ｂは、内方肉厚帯２５Ｂの両側に、それぞれ内方肉厚帯２５Ｂに平行に並ぶ４つのネジ孔２３，２３，２３，２３を備える。
外金具３Ｂは、四角形の外方中央部３１Ｂ、および一対の四角形の外方外縁部３２，３２を有する。外方中央部３１Ｂと一対の四角形の外方外縁部３２，３２との位置関係、および外方外縁部３２等の構成は、連結金具１における外金具３と同じである。
【００２６】  外方中央部３１Ｂは、外方外縁部３２，３２それぞれから等距離の内面に、外方外縁部３２と連続する折り曲げ線に平行に帯状に延びた、外方中央部３１Ｂの他の部分よりも肉厚の外方肉厚帯３５Ｂを有する。外方中央部３１Ｂにおける「内面」とは、外方外縁部３２が拡がる（突出する）側の表面をいう。
外方肉厚帯３５Ｂの厚さは、外方中央部３１Ｂの他の部分の厚さと内金具２Ｂの内方外縁部２２の厚さとを加えた値に略等しい。外方肉厚帯３５Ｂの幅は、その厚さ以上が好ましい。
【００２７】  外方中央部３１Ｂは、外方肉厚帯３５Ｂの両側に、それぞれ外方肉厚帯３５Ｂに平行に並ぶ４つのネジ孔３３，３３，３３，３３を備える。
内金具２Ｂおよび外金具３Ｂは、それぞれの内方肉厚帯２５Ｂおよび外方肉厚帯３５Ｂの幅方向中央を含む平面に対していずれも面対称である。
【００２８】  連結金具１Ｂにおいて、内方中央部２１Ｂの外面における内方肉厚帯２５Ｂを除く両側の幅ｓｗ５は、外金具３Ｂの内面における外方外縁部３２の幅ｓｗ６に等しいか僅かに大きい。外方中央部３１Ｂの内面における外方肉厚帯３５Ｂを除く両側の幅ｓｗ８は、内金具２Ｂの外面における内方外縁部２２の幅ｓｗ９に等しいか僅かに大きい。
連結金具１Ｂは、上記した連結金具１との相違点を除きその構成は連結金具１と同じであり、同じ構成の部分については説明を省略し図３において連結金具１と同じ符号を付す。
【００２９】  図４を参照して、角材Ｒ，Ｒを連結する連結金具１Ｂは、一対の内金具２Ｂの不連続部分（間隙）を外方肉厚帯３５Ｂが埋め、一対の外金具３Ｂの不連続部分（間隙）を内方肉厚帯２５Ｂが埋める。連結金具１Ｂは、角材Ｒ，Ｒの４面に必ず生ずる金属板の不連続部分の近傍に肉厚な内方肉厚帯２５Ｂおよび外方肉厚帯３５Ｂを配することにより、不連続部分の強度低下を軽減または防止することができる。
【００３０】  図５は他の連結金具１Ｃの斜視図である。
連結金具１Ｃは、連結金具１Ｂにおける内方肉厚帯２５Ｂおよび外方肉厚帯３５Ｂの換わりに、軽量化を図った内方肉厚帯２５Ｃおよび外方肉厚帯３５Ｃを有する。
内方肉厚帯２５Ｃおよび外方肉厚帯３５Ｃは、表面に直交して突出する複数のリブ２６Ｃ，３６Ｃ（図５においては各４つのリブ）で形成される。
【００３１】  連結金具１Ｃは、内方肉厚帯２５Ｃおよび外方肉厚帯３５Ｃの形態が連結金具１Ｂにおける内方肉厚帯２５Ｂおよび外方肉厚帯３５Ｂと異なる点を除き、連結金具１Ｂと同一の構成を有する。連結金具１Ｃは、角材Ｒ，Ｒ連結後の一対の内金具２Ｃ，２Ｃにおける不連続部分、および一対の即金具３Ｃ，３Ｃにおける不連続部分の強度低下を軽減または防止することができる。
【００３２】  連結金具１Ｂ，１Ｃは、連結金具１と同様に、連結された角材Ｒ，Ｒが、いずれの方向からの外力に対しても偏りなく同等の強度を有する。
連結金具１，１Ｂ，１Ｃは、広く角材の連結に用いることができる。連結金具１，１Ｂ，１Ｃにおける一対の内方外縁部２２，２２の距離ｓｗ２、一対の外方外縁部３２，３２の距離Ｗ２、これらの幅等の寸法は、連結対象の角材Ｒの断面各辺の長さに応じて適宜決定される。角材Ｒ，Ｒの連結時、角材Ｒ，Ｒの端面同士を接着剤により固着するのが好ましい。
【００３３】  図６は他の角材の連結金具１Ｄの斜視図、図７は他の連結金具１Ｄにより連結された角材Ｒ，Ｒの斜視図である。
連結金具１Ｄは、一対の内金具２Ｄ，２Ｄおよび一対の外金具３Ｄ，３Ｄで構成される。
内金具２Ｄは、四角形の２つの内方連結部２７Ｄ，２７Ｄが直交して連続する、例えば四角形の金属板が９０度に曲げられた形状である。内方連結部２７Ｄは、他方の内方連結部２７Ｄとの折り曲げ線に平行に並ぶ４つのネジ孔２３，２３，２３，２３を２列備える。
【００３４】  外金具３Ｄも内金具２Ｄと略同じ形状であり、四角形の２つの外方連結部３７Ｄ，３７Ｄが直交して連続する。外方連結部３７Ｄは、他方の外方連結部３７Ｄとの折り曲げ線に平行に並ぶ４つのネジ孔３３，３３，３３，３３を２列備える。
図７を参照して、連結金具１Ｄによる角材Ｒ，Ｒの連結は、先ず角材Ｒ，Ｒのそれぞれの端面が突き合わされた部分に、内金具２Ｄ，２Ｄがあてがわれる。内金具２Ｄの直交する２つの内方連結部２７Ｄ，２７Ｄは、それぞれが角材Ｒの直交する側面の異なる一方の幅全体を覆う幅（折り曲げ線に直交する方向の寸法）である。したがって２つの内方連結部２７Ｄ，２７Ｄにより、角材Ｒ，Ｒの連結部分の周囲は略全体が覆われる。
【００３５】  次に、外金具３Ｄ，３Ｄにより、内金具２Ｄ，２Ｄの外面が覆われる。外金具３Ｄは、その外方連結部３７Ｄ，３７Ｄの連続部分、すなわち折り曲げ線の部分を内金具２Ｄの折り曲げ線に対して９０度ずらして配される。これにより、角材Ｒの４つの角は、内金具２Ｄ，２Ｄおよび外金具３Ｄ，３Ｄのいずれか１つの折り曲げ線の部分に覆われる。
連結金具１Ｄは、木ネジ４１により角材Ｒ，Ｒに固定され、２つの角材Ｒ，Ｒは連結金具１Ｄによって連結される。連結金具１Ｄによる角材Ｒ，Ｒの連結は、場所に制約されず、例えばドライバのみで簡便に行うことができ、連結の結果、２つの角材を見かけ上１つの角材のようにすることができる。
【００３６】  図８は他の角材の連結金具１Ｅの斜視図、図９は他の連結金具１Ｅにより連結された角材Ｒ，Ｒの斜視図である。
連結金具１Ｅは、４つの内金具２Ｅ，２Ｅ，２Ｅ，２Ｅおよび４つの外金具３Ｅ，３Ｅ，３Ｅ，３Ｅで構成される。
内金具２Ｅは、幅が明確に異なる四角形の２つの内方連結部２８Ｅａ，２８Ｅｂが直交して連続する、四角形の金属板が９０度に曲げられた形状である。内方連結部２８Ｅａ，２８Ｅｂの「幅」とは、折り曲げ線に直交する方向の寸法である。
【００３７】  幅の大きな内方連結部２８Ｅａには、内方連結部２８Ｅａ，２８Ｅｂを連続させる折り曲げ線に平行に並ぶ４つのネジ孔２３，２３，２３，２３が２列設けられている。
外金具２Ｅも内金具２Ｅと同様に、幅が明確に異なる四角形の２つの外方連結部３８Ｅａ，３８Ｅｂが直交して連続する、四角形の金属板が９０度に曲げられた形状である。外方連結部３８Ｅａ，３８Ｅｂの「幅」は、内方連結部２８Ｅａ，２８Ｅｂにおける「幅」と同義である。
２つの外方連結部３８Ｅａ，３８Ｅｂのいずれにも、これらを連続させる折り曲げ線に平行に並ぶ４つのネジ孔３３，３３，３３，３３が設けられている。
【００３８】  連結金具１Ｅは、角材Ｒ，Ｒの連結において、４つの内金具２Ｅ，２Ｅ，２Ｅ，２Ｅが、その折り曲げ線を角材Ｒの互いに異なる角（かど）に位置させ、かつ角材Ｒの一つの側面を、異なる内金具２Ｅ，２Ｅの内方連結部２８Ｅａ，２８Ｅｂが覆うように配される。
４つの外金具３Ｅ，３Ｅ，３Ｅ，３Ｅは、それぞれが、幅の大きな外方連結部３８Ｅａを、内金具２Ｅ，２Ｅの不連続な部分、つまり異なる内金具２Ｅ，２Ｅの内方連結部２８Ｅａ，２８Ｅｂが対向する部分を覆うようにして、内金具２Ｅ，２Ｅ，２Ｅ，２Ｅの外周に配置される。
【００３９】  連結金具１Ｅは、内金具２Ｅおよび外金具３Ｅそれぞれが、幅の異なる内方連結部２８Ｅａ，２８Ｅｂまたは外方連結部３８Ｅａ，３８Ｅｂを有することにより、例えば断面正方形の角材Ｒ，Ｒの連結では、内金具２Ｅ，２Ｅの不連続部分と外金具３Ｅ，３Ｅの不連続部分とが重なることを確実に防止できる。
【００４０】  断面が正方形ではない角材Ｒ，Ｒを連結する連結金具１Ｅは、角材Ｒ，Ｒに取り付けたとき、内金具２Ｅ，２Ｅ，２Ｅ，２Ｅの互いの不連続部分と外金具３Ｅ，３Ｅ，３Ｅ，３Ｅの不連続部分とが重ならないように、内方連結部２８Ｅａ，２８Ｅｂおよび外方連結部３８Ｅａ，３８Ｅｂのそれぞれの幅が決定される。
連結金具１Ｅは、木ネジ４１により角材Ｒ，Ｒに固定され、２つの角材Ｒ，Ｒは連結金具１Ｅによって連結される。連結金具１Ｅは、場所に制約されずに角材Ｒ，Ｒの連結を簡便に行うことができ、２つの角材は見かけ上１つの角材のように連結される。
【００４１】  図１０は他の角材の連結金具１Ｆの斜視図、図１１は他の連結金具１Ｆにより連結された角材Ｒ，Ｒの斜視図である。
連結金具１Ｆは、４つの内金具２Ｆ，２Ｆ，２Ｆ，２Ｆおよび４つの外金具３Ｆ，３Ｆ，３Ｆ，３Ｆで構成される。
内金具２Ｆは、四角形の金属板である。連結対象の角材Ｒの断面が正方形の場合は、四角形である内金具２Ｆの一つの辺の長さが角材Ｒの断面の一辺と略同じである。角材Ｒの断面が矩形の場合は、２つの内金具２Ｆ，２Ｆの短辺が断面矩形の短辺と略同じであり、他の２つの内金具２Ｆ，２Ｆの短辺が断面矩形の長辺と略同じである。
内金具２Ｆは、直線的に並ぶ４つのネジ孔２３，２３，２３，２３を２列有する。
【００４２】  外金具３Ｆは、金属板による四角形の２つの外方連結部３７Ｆ，３７Ｆからなる。２つの外方連結部２７Ｆ，２７Ｆは、同一形状であり、直交して互いの長辺が連続する。外方連結部３７Ｆは、他方の外方連結部３７Ｆとの折り曲げ線に平行に並ぶ４つのネジ孔２３，２３，２３，２３を備える。
【００４３】  図１１を参照して、連結金具１Ｆでは、角材Ｒ，Ｒの連結時に、それぞれの外金具３Ｆが、内金具２Ｆを覆って角材Ｒ，Ｒの異なる角（かど）に当てられる。内金具２Ｆ，２Ｆ，２Ｆ，２Ｆおよび外金具３Ｆ，３Ｆ，３Ｆ，３Ｆは、例えばこれらを貫通させて角材Ｒ，Ｒにねじ込まれる木ネジ４１，…，４１により角材Ｒ，Ｒに固定され、連結金具１Ｆは２本の角材Ｒ，Ｒを直列に連結する。
連結金具１，１Ｂ〜１Ｆは、内金具２，２Ｂ〜２Ｆが、角材Ｒ，Ｒの連結部分における４つの側面すべてにおいて側面の略全体を覆い、外金具３Ｂ〜３Ｆが、内金具２，２Ｂ〜２Ｅの外面の略全体を覆う。
【００４４】  上述の実施形態において、各ネジ孔２３，２４，３３，３４の数は、角材Ｒ断面の大きさ等に応じて変更される。
角材Ｒ，Ｒへの連結金具１，１Ｂ〜１Ｆの取り付けは、木ネジ４１に換えて釘等を使用することができる。
その他、連結金具１，１Ｂ〜１Ｆ、および内金具２，２Ｂ〜２Ｆ、外金具３，３Ｂ〜３Ｆの各構成または全体の構造、形状、寸法、個数、材質などは、本考案の趣旨に沿って適宜変更することができる。
【産業上の利用可能性】
【００４５】  本考案は、２つの角材の端部同士を直列に連結する連結金具に利用することができる。
【符号の説明】１，１Ｂ〜１Ｆ  連結金具
２，２Ｂ〜２Ｅ  内金具
２Ｆ  内金具（第一矩形板、第二矩形板）
３，３Ｂ〜３Ｅ  外金具
３Ｆ  外金具（連結部）
２１，２１Ｂ  内方中央部
２２  内方外縁部
２５Ｂ，２５Ｃ  内方肉厚帯
２７Ｄ  内方連結部
３１，３１Ｂ  外方中央部
３２  外方外縁部
３５Ｂ，３５Ｃ  外方肉厚帯
３７Ｄ，３７Ｆ  外方連結部
Ｒ  角材
【図１】
0003204237.tif 000003
【図２】
0003204237.tif 000004
【図３】
0003204237.tif 000005
【図４】
0003204237.tif 000006
【図５】
0003204237.tif 000007
【図６】
0003204237.tif 000008
【図７】
0003204237.tif 000009
【図８】
0003204237.tif 000010
【図９】
0003204237.tif 000011
【図１０】
0003204237.tif 000012
【図１１】
0003204237.tif 000013